(57)【要約】【課題】患者からの呼び出しに対して、医療従事者が病室への訪問を忘れないようにすることと、医療従事者が患者の居る病室へ向かっている最中であることを患者に通知することとを同時に実現できるようにする。【解決手段】呼出操作部３が操作された場合に、呼び出しの報知を行うとともに、第一の状態であることを示す音声をスピーカー４から出力し、応答操作部１４が操作された場合に、通話を開始し、報知部１３の動作を停止させて、スピーカー４からの音声の出力を停止させる。そして、応答が終了した場合に、通話を終了し、第二の状態であることを示す音声をスピーカー４から出力する。この音声は復旧操作装置６により停止させられる。これにより、応答が終了した場合でもスピーカー４から第二の状態を示す音声が出力されるので、これを停止するためには、復旧操作装置６を操作する必要があり、医療従事者は病室へ行かなければならなくなる。【選択図】図１
2013248068.tif 000002
【特許請求の範囲】
【請求項１】
患者が居る病室内に設置されており、患者が医療従事者を呼び出すための呼出操作部と、呼び出しが行われている第一の状態、および、医療従事者による応答が行われて医療従事者が前記患者の居る病室へ向かっている最中である第二の状態を音声にて通知するスピーカーと、前記呼出操作部が操作された場合に、呼出信号を生成して出力するとともに前記スピーカーを動作させて前記第一の状態を示す音声を出力させ、通話を開始した場合に前記音声の出力を停止させ、通話を終了した場合に前記スピーカーを動作させて前記第二の状態を示す音声を出力させ、復旧が行われた場合に前記音声の出力を停止させる子機制御部とを有するナースコール子機と、
前記ナースコール子機または前記ナースコール子機の近傍に設置されており、操作されることで復旧が行われたことを前記ナースコール子機へ伝達する復旧操作装置と、
前記患者が医療従事者を呼び出していることを報知する報知部と、前記報知部による報知に対して応答するために操作される応答操作部と、前記ナースコール子機から出力された前記呼出信号を入力した場合に前記報知部を動作させ、この状態で前記応答操作部が操作された場合に、前記ナースコール子機との間で通話を開始するとともに前記報知部の動作を停止させ、この状態で前記応答操作部の操作が終了した場合に、前記ナースコール子機との間の通話を終了する親機制御部とを有するナースコール親機と、
を備えたことを特徴とするナースコールシステム。
【発明の詳細な説明】
【技術分野】
【０００１】
本発明は、病院や介護施設などで患者や被介護者からの要求に応じて看護師や介護者を呼び出すナースコールシステムに関する。
【背景技術】
【０００２】
従来、ナースコールシステムは、患者や被介護者（以下、まとめて患者と記載する）の近辺（例えば、ベッド近傍など）に設置されたナースコール子機と看護師や介護者（以下、まとめて医療従事者と記載する）の常駐するスタッフルームなどに設置されたナースコール親機とを有線や無線などにより接続している。このように構成されたナースコールシステムでは、患者がナースコール子機に設けられた呼出操作部を操作することによって、ナースコール親機に設けられた報知部が動作し、患者が医療従事者を呼び出すことができる。医療従事者は、ナースコール親機に設けられたハンドセットをオフフックして応答を行うとともに、患者と通話を行うことができる。
【０００３】
また、このようなナースコールシステムでは、ナースコール子機とナースコール親機との間に、廊下灯を設置することが一般的である。廊下灯は、病室などの部屋の出入口近傍の廊下側の壁面に取り付けられている。また、廊下灯は、取り付けられている病室の番号やその病室に入院している患者の氏名などの患者情報を表示している。また、廊下灯は、ナースコール親機と連動しており、患者がナースコール子機の呼出操作部を操作して呼び出しを行うと、ナースコール子機は、ナースコール親機および廊下灯に呼び出しを通知する。このとき、廊下灯は廊下灯に設けたランプなどを点灯／点滅させることにより廊下灯が設置されている病室で呼び出しが行われていることを知らせる。これにより、廊下に居る医療従事者などは、呼び出しを行った患者が居る病室を特定することができる。
【０００４】
また、上述した構成に加えて、医療従事者が携行する携帯端末（例えば、ＰＨＳ（Personal
Handy phone System）端末など）とＰＢＸ（Private Branch Exchange：電話交換機）とを備えたナースコールシステムも提供されている。そして、ナースコール子機により呼び出しが行われた場合に、携帯端末は鳴動したり振動したりして報知を行う。医療従事者は、携帯端末を操作して応答を行うとともに、患者と通話を行うことができる。
【０００５】
ところで、ナースコール子機からの呼び出しに対して、ナースコール親機のハンドセットや携帯端末にて応答を行うと、ナースコール親機や携帯端末による報知が停止し、廊下灯のランプが消灯して、呼び出しに対する対応が完了した状態（いわゆる復旧状態）となるナースコールシステムが存在している。しかしながら、このようなナースコールシステムでは、ナースコール子機からの呼び出しに対して、医療従事者がナースコール親機のハンドセットや携帯端末で応答するだけで報知が停止するため、医療従事者が患者の居る病室に赴いて看護を行う必要があるにも関わらず、医療従事者が患者の居る病室へ行くことを忘れるケースが生じてしまうという問題があった。
【０００６】
このような問題を解決するために、廊下灯に復旧ボタンを設け、復旧ボタンの操作によってシステムを復旧状態にするナースコールシステムが知られている（例えば、特許文献１など）。また、ナースコール子機に復旧操作部を設け、復旧操作部の操作によってシステムを復旧状態にするナースコールシステムも知られている（例えば、特許文献２など）。ここで、復旧ボタンと復旧操作部は同様の機能を持ち、以降、これらをまとめて復旧操作部と記載する。
【０００７】
ところで、ナースコール子機の呼出操作部が操作されてから、ナースコール親機や携帯端末により応答が行われるまでの間、ナースコール子機にて呼出確認音を出力する技術が知られている。これにより、呼び出しが行われていることを患者に通知することができる。
【０００８】
しかしながら、上述した従来技術では、医療従事者がナースコール親機のハンドセットや携帯端末で応答を行うと、呼出確認音の出力が停止するため、呼び出しを行った患者は、自分が行った呼び出しによって、医療従事者が自分の居る病室に来てくれるかどうかを不安に思ってしまうという問題があった。
【先行技術文献】
【特許文献】
【０００９】
【特許文献１】特開２００３−３７６７９号公報
【特許文献２】特開２００９−７７３８７号公報
【発明の概要】
【発明が解決しようとする課題】
【００１０】
本発明は、上述したような問題を解決するために成されたものであり、ナースコール子機からの呼び出しに対して、医療従事者が病室への訪問を忘れないようにすることと、医療従事者が患者の居る病室へ向かっている最中であることを患者に通知することとを同時に実現できるようにすることを目的とする。
【課題を解決するための手段】
【００１１】
上述した課題を解決するために、本発明では、患者が医療従事者を呼び出すための呼出操作部、呼び出しが行われている第一の状態、および、呼び出しに対する応答が行われて医療従事者が患者の居る病室へ向かっている最中である第二の状態を音声にて通知するスピーカーとをナースコール子機に設け、呼出操作部が操作された場合に、患者が医療従事者を呼び出していることを示す報知をナースコール親機にて行い、第一の状態であることを示す音声をスピーカーから出力するようにしている。この状態で、ナースコール親機により応答の操作が行われた場合に、ナースコール親機とナースコール子機との間で通話を開始するとともに、報知およびスピーカーからの音声の出力を停止させるようにしている。そして、ナースコール親機により応答の終了の操作が行われた場合に、ナースコール親機とナースコール子機との間の通話を終了するとともに、第二の状態であることを示す音声をスピーカー４から出力するようにしている。また、第二の状態であることの通知を停止するための復旧操作装置を病室に設置するようにしている。
【発明の効果】
【００１２】
上記のように構成した本発明によれば、ナースコール親機により応答の終了の操作が行われた場合でも、ナースコール子機のスピーカーから第二の状態を示す音声が出力されるので、これを停止するためには、病室に設置された復旧操作装置を操作する必要があるため、医療従事者は病室へ行かなければならなくなる。従って、ナースコール子機からの呼び出しに対して、医療従事者が病室への訪問を忘れないようにすることができる。また、ナースコール親機により応答の操作が行われた場合に、第一の状態を示す音声がスピーカーから出力されなくなっても、応答の終了の操作が行われると、第二の状態を示す音声がスピーカーから出力されるので、医療従事者が患者の居る病室へ向かっている最中であることを患者に通知することができる。
【図面の簡単な説明】
【００１３】
【図１】本実施形態によるナースコールシステムの構成例を示すブロック図である。
【図２】本実施形態によるナースコールシステムの動作の例を示す図である。
【発明を実施するための形態】
【００１４】
以下、本発明の一実施形態を図面に基づいて説明する。図１は、本実施形態によるナースコールシステムの構成例を示すブロック図である。図１に示すように、本実施形態によるナースコールシステムは、患者の居る病室のベッド近傍に設置され、患者が呼び出しの操作を行うためのナースコール子機１と、医療従事者が常駐するスタッフルーム（例えば、ナースステーションなど）に設置され、呼び出しを報知するためのナースコール親機１０とを備える。
【００１５】
ここで、ナースコール子機１は、子機制御部２、呼出操作部３、スピーカー４、子機インターフェース５、復旧操作装置６を備えて構成されている。また、ナースコール親機１０は、親機制御部１１、インターフェース１２、報知部１３、応答操作部１４を備えて構成されている。また、ナースコール子機１とナースコール親機１０との間には図示しない廊下灯が設置されている。また、ナースコール子機１とナースコール親機１０との間では通話が可能である。
【００１６】
ここで、廊下灯は、病室などの部屋の出入口近傍の廊下側の壁面に取り付けられている。また、廊下灯は、取り付けられている病室の番号やその病室に入院している患者の氏名などの患者情報を表示している。また、廊下灯は、ナースコール子機１およびナースコール親機１０と連動しており、患者がナースコール子機１の呼出操作部３を操作して呼び出しを行うと、ナースコール子機１は、廊下灯に呼び出しを通知する。このとき、廊下灯は内蔵したランプなどを点灯／点滅させることにより廊下灯が設置されている病室で呼び出しが行われていることを知らせる。これにより、廊下に居る医療従事者などは、呼び出しを行った患者や医療従事者が居る病室を特定することができる。
【００１７】
まず、ナースコール子機１の構成要素について説明する。子機制御部２は、ナースコール子機１の各構成要素を後述するように制御するためのものであり、ＣＰＵ（Central Processing Unit）などにより構成されている。呼出操作部３は、患者が医療従事者を呼び出す際に操作するためのものであり、ボタンなどにより構成されている。ここで、呼出操作部３は、患者の手元で使用することができるように、可搬性の筐体に設けられている。
また、筐体にはコードが設けられており、このコードの先端にはプラグが設けられている。このプラグは、ベッドの近傍の壁面に設置されているウォールユニットに設けたコンセントに接続される。そのため、ナースコール子機１の筐体は、ベッド近傍で移動可能である。
【００１８】
スピーカー４は、ナースコール子機１の筐体やウォールユニットなどに取り付けられており、呼び出しが行われている状態を示す第一の状態、および、呼び出しに対して医療従事者が応答を行い、医療従事者が患者の居る病室へ向かっている最中である状態を示す第二の状態を音声にて出力する。ここで、第一の状態を示す音声および第二の状態を示す音声は、アラームやメロディ、音声合成によるもの、人の発声によるものなどが用いられる。この場合、第一の状態を示す音声と第二の状態を示す音声とを異ならせる必要がある。
【００１９】
子機インターフェース５は、ナースコール親機１０のインターフェース１２に接続されており、ナースコール子機１とナースコール親機１０とを電気的に接続する。復旧操作装置６は、ナースコール子機１のウォールユニットに設置されており、スピーカー４から出力されている第二の状態を示す音声の出力を停止する際に操作される。
【００２０】
次に、ナースコール親機１０の構成要素について説明する。親機制御部１１は、ナースコール親機１０の各構成要素を後述するように制御するためのものであり、ＣＰＵなどにより構成されている。インターフェース１２は、ナースコール子機１の子機インターフェース５に接続されており、ナースコール親機１０とナースコール子機１とを電気的に接続する。ここで、ナースコール親機１０とナースコール子機１との間の通信は、有線や無線によって行われる。
【００２１】
報知部１３は、スピーカーなどの音声出力装置や表示ディスプレイなどの表示装置、ランプなどの点灯装置の少なくとも一つの装置により構成されている。また、報知部１３は、患者が医療従事者を呼び出していることを報知する。ここで、インターフェース１２がナースコール子機１から呼出信号を入力した場合に、親機制御部１１は、報知部１３を動作させる。このとき、親機制御部１１は、入力した呼出信号に含まれる子機識別情報に基づいて、呼び出しが行われたナースコール子機１を特定することができるように、スピーカーから報知音を出力させたり、表示ディスプレイに呼び出しが行われていること、および、呼び出しを行った患者の氏名などを表示させたり、ランプを点滅させたりする。
【００２２】
応答操作部１４は、ハンドセットや置き台、フックスイッチなどにより構成されており、応答操作部１４を構成するハンドセットを置き台から取り上げることでフックスイッチが動作してオフフックとなり、ハンドセットを置き台に戻すことでフックスイッチが動作してオンフックとなる。
【００２３】
このように構成されたナースコールシステムにおいて、患者が医療従事者を呼び出したい場合には、患者は呼出操作部３を操作する。すると、子機制御部２は、呼出信号を生成する。一方、子機制御部２は、呼び出しが行われている第一の状態であることを示す音声をスピーカー４から継続して出力させる。この音声を聞いた患者は、自分が呼び出しを行ったことを把握することができる。ここで、呼出信号には、このナースコール子機１を他のナースコール子機１と識別するための子機識別情報が含まれる。また、子機識別情報としては、ベッド番号などの情報が用いられる。また、子機インターフェース５は、子機制御部２により生成された呼出信号をナースコール親機１０へ出力する。
【００２４】
ナースコール親機１０では、インターフェース１２がナースコール子機１から呼出信号を入力する。すると、親機制御部１１は、報知部１３を動作させる。このように、報知部１３が動作している状態で、医療従事者は、患者からの呼び出しに対して応答するために応答操作部１４を操作する（すなわち、ハンドセットをオフフックする）。親機制御部１１は、報知部１３の動作を停止させる。また、親機制御部１１は、ナースコール親機１０とナースコール子機１との間で通話を開始する。ナースコール子機１では、ナースコール親機１０との間で通話が開始されると、子機制御部２は、スピーカー４から出力されていた第一の状態を示す音声の出力を停止させる。
【００２５】
この状態で、医療従事者と患者との間では会話が行われ、この会話が終了すると、医療従事者は応答操作部１４の操作を終了する（すなわち、ハンドセットをオンフックする）。このとき、親機制御部１１は報知部１３の動作を停止させたままである。一方、ナースコール子機１では、ナースコール親機１０との間の通話が終了すると、子機制御部２は、呼び出しに対して医療従事者が応答を行い、医療従事者が患者の居る病室へ向かっている最中である第二の状態であることを示す音声をスピーカー４から継続して出力させる。この音声を聞いた患者は、自分の呼び出しに対して医療従事者が自分の居る病室へ向かっていることを把握することができる。
【００２６】
また、応答操作部１４の操作を終了した医療従事者は、呼び出しを行った患者のナースコール子機１のスピーカー４から第二の状態を示す音声が出力され続けていることを理解しているため、急いで患者の居る病室へ向かうことになる。
【００２７】
病室内に到着した医療従事者は、ナースコール子機１のウォールユニットに設置されている復旧操作装置６を操作する。すると、子機制御部２は、スピーカー４から出力されていた第二の状態を示す音声の出力を停止させる。
【００２８】
上述した動作をまとめると、図２に示すように、ナースコール子機１の呼出操作部３が操作されると、ナースコール親機１０の報知部１３およびナースコール子機１のスピーカー４は動作する（第一の状態を示す音声を出力し続ける）。このとき、ナースコール親機１０とナースコール子機１との間で通話は行われていない。この状態で、ナースコール親機１０の応答操作部１４が操作されると、報知部１３およびスピーカー４は動作を停止する。このとき、ナースコール親機１０とナースコール子機１との間で通話が行われる。
【００２９】
この状態で、応答操作部１４の操作が終了すると、報知部１３は動作を停止したままであり、スピーカー４は動作する（第二の状態を示す音声を出力し続ける）。このとき、ナースコール親機１０とナースコール子機１との間で通話は行われなくなる。この状態で、ナースコール子機１の復旧操作装置６が操作されると、報知部１３およびスピーカー４は動作を停止する。
【００３０】
以上詳しく説明したように、本実施形態によれば、患者が医療従事者を呼び出すための呼出操作部３、呼び出しが行われている第一の状態、および、呼び出しに対する応答が行われて医療従事者が患者の居る病室へ向かっている最中である第二の状態を音声にて通知するスピーカー４とをナースコール子機１に設け、呼出操作部３が操作された場合に、患者が医療従事者を呼び出していることを示す報知をナースコール親機１０の報知部１３にて行い、第一の状態であることを示す音声をスピーカー４から出力するようにしている。この状態で、ナースコール親機１０の応答操作部１４が操作された場合に、ナースコール親機１０とナースコール子機１との間で通話を開始するとともに、報知部１３の動作を停止させ、スピーカー４からの音声の出力を停止させるようにしている。そして、応答操作部１４の操作が終了した場合に、ナースコール親機１０とナースコール子機１との間の通話を終了するとともに、第二の状態であることを示す音声をスピーカー４から出力するようにしている。また、第二の状態であることの通知を停止するための復旧操作装置６をナースコール子機１に設けるようにしている。
【００３１】
これにより、応答操作部１４の操作が終了した場合でも、ナースコール子機１のスピーカー４から第二の状態を示す音声が出力されるので、これを停止するためには、ナースコール子機１に設置された復旧操作装置６を操作する必要があるため、医療従事者は病室へ行かなければならなくなる。従って、ナースコール子機１からの呼び出しに対して、医療従事者が病室への訪問を忘れないようにすることができる。また、応答操作部１４が操作された場合に、第一の状態を示す音声がスピーカー４から出力されなくなっても、応答操作部１４の操作が終了すると、第二の状態を示す音声がスピーカー４から出力されるので、医療従事者が患者の居る病室へ向かっている最中であることを患者に通知することができる。
【００３２】
また、ナースコール親機１０およびナースコール子機１を介して、医療従事者と患者との間で会話が行われている場合には、ナースコール子機１のスピーカー４から音声が出力されなくなるので、スピーカー４から出力される音声が会話の邪魔をすることがなくなる。
【００３３】
なお、前述した実施形態では、復旧操作装置６をナースコール子機１に設置するようにしているが、これに限定されない。例えば、復旧操作装置６を病室内の任意の場所に設置したり、廊下灯に設置したりするようにしても良い。すなわち、医療従事者が病室へ行ったとされる場所であれば、どのような場所に復旧操作装置６を設置しても良い。
【００３４】
また、前述した実施形態では、ナースコール親機１０は、スタッフルームに設置された固定式のものであるが、これに限定されない。例えば、ナースコール親機１０を医療従事者によって携行される携帯端末により構成するようにしても良い。
【００３５】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３６】
１    ナースコール子機
２    子機制御部
３    呼出操作部
４    スピーカー
５    子機インターフェース
６    復旧操作装置
１０    ナースコール親機
１１    親機制御部
１２    インターフェース
１３    報知部
１４    応答操作部
【図１】
2013248068.tif 000003
【図２】
2013248068.tif 000004